(57)【要約】【課題】モニタ画面に表示する記録カウンタ情報と再生カウンタ情報の同期をとることで、ユーザにとって違和感の無いカウンタ情報の表示形態を提供する。【解決手段】外部入力端子１６に接続されたビデオカメラ３１から送られてくる映像情報を装置本体側で記録する際に、ビデオカメラ３１から再生時間に関する再生カウンタ情報を取得し、この再生カウンタ情報を外部接続されている表示装置２１のモニタ画面に表示しながら記録を行うＤＶＤ装置であって、記録モード時、システムコントローラ１０は、カウンタ１５による記録時間に関する記録カウンタ情報とビデオカメラ３１側の再生カウンタ情報とを併せて表示装置２１に表示する。この際、ビデオカメラ３１側の再生カウンタ情報を、実際に取得している再生カウンタ情報とは無関係に、記録カウンタ情報に同期させてカウントアップさせる。【選択図】  図１
2004310848.tif 000002
【特許請求の範囲】
【請求項１】
外部入力端子に接続されたビデオカメラから送られてくる映像情報を装置本体側の記録制御手段で記録する際に、前記ビデオカメラから再生時間に関する再生カウンタ情報を取得し、この再生カウンタ情報を外部接続されているテレビジョン受像機のモニタ画面に表示しながら記録を行う情報記録再生装置において、
記録モード時、前記記録制御手段は、前記モニタ画面に装置本体側の記録時間に関する記録カウンタ情報と前記ビデオカメラ側の再生カウンタ情報とを併せて表示するとともに、前記モニタ画面に表示する前記ビデオカメラ側の再生カウンタ情報を、実際に取得している再生カウンタ情報とは無関係に、前記装置本体側の記録カウンタ情報に同期させてカウントアップさせることを特徴とする情報記録再生装置。
【請求項２】
外部入力端子に接続された外部機器から送られてくる情報を装置本体側の記録制御手段で記録する際に、前記外部機器から再生時間に関する再生カウンタ情報を取得し、この再生カウンタ情報を表示部に表示しながら記録を行う情報記録再生装置において、
記録モード時、前記記録制御手段は、前記表示部に装置本体側の記録時間に関する記録カウンタ情報と前記外部機器側の再生カウンタ情報とを併せて表示するとともに、前記表示部に表示する前記外部機器側の再生カウンタ情報を、実際に取得している再生カウンタ情報とは無関係に、前記装置本体側の記録カウンタ情報に同期させて表示することを特徴とする情報記録再生装置。
【請求項３】
前記外部機器がビデオカメラである請求項２に記載の情報記録再生装置。
【請求項４】
前記表示部が前記装置本体に接続されたテレビジョン受像機のモニタ画面である請求項２に記載の情報記録再生装置。
【請求項５】
記録モード以外の特殊再生時には、前記ビデオカメラ側の再生カウンタ情報にフレーム情報を含めて表示することを特徴とする請求項２に記載の情報記録再生装置。
【請求項６】
前記特殊再生がスチル再生またはスロー再生であることを特徴とする請求項５に記載の情報記録再生装置。
【発明の詳細な説明】
【０００１】
【発明の属する技術分野】
本発明は、外部入力端子に接続されたビデオカメラから送られてくる映像情報を装置本体側で記録する際に、ビデオカメラから再生時間に関するカウンタ情報を取得し、このカウンタ情報を外部接続されているテレビジョン受像機のモニタ画面に表示しながら記録を行うＤＶＤ（Ｄｉｇｉｔａｌ  Ｖｅｒｓａｔｉｌｅ  Ｄｉｓｃ）装置などの情報記録再生装置に関する。
【０００２】
【従来の技術】
従来、ＤＶＤ装置の外部入力端子にデジタルビデオカメラを接続し、デジタルビデオカメラで撮影した映像をＤＶＤ装置に取り込んで記録するといった処理が行われている。この際、ユーザは、ＤＶＤ装置をテレビジョン受像機に接続し、デジタルビデオカメラ側で再生した映像をテレビジョン受像機のモニタ画面に表示しながら、ＤＶＤ装置で記録処理を行うことになる。
【０００３】
この場合、ＤＶＤ装置側では、外部入力端子を介してデジタルビデオカメラ側での再生時間である再生カウンタ情報を映像とともに取得し、その再生カウンタ情報をテレビジョン受像機のモニタ画面に映像と併せて表示するといった処理を行っている。
【０００４】
一方、ＤＶＤ装置側でも、取り込んだ映像情報に基づいて記録時間のカウント処理を行っている。従って、この記録カウンタ情報をテレビジョン受像機のモニタ画面に併せて表示することが可能である。
【０００５】
なお、機能の異なる複数台の機器を接続して記録や編集等を行う装置が従来より提案されている（例えば、特許文献１参照）。
この装置は、動作状態を表示する表示部が設けられた複数台の装置を動作制御する制御手段を備えており、各装置は、外部から供給される入力信号と制御手段から供給される制御信号とに基づいて動作するカウンタを備えており、各カウンタを制御信号に基づいてリセットした後、入力信号に同期して動作させることにより、各表示部を他の表示部と同期して点滅表示させるようになっている。
【０００６】
【特許文献１】
特開平８−４５２５１号公報
【０００７】
【発明が解決しようとする課題】
ところで、上記したように、ＤＶＤ装置にビデオカメラを接続し、ＤＶＤ装置をテレビジョン受像機に接続して、ビデオカメラの撮影映像をＤＶＤ装置に記録する場合、ビデオカメラによる再生カウンタ情報とＤＶＤ装置による記録カウンタ情報の両方をモニタ画面に表示することが可能である。
【０００８】
しかしながら、このとき表示されるビデオカメラによる再生カウンタ情報は、ＤＶＤ装置で一旦読み込み処理が行われた後、ニモタ画面に表示されている。この場合、ＤＶＤ装置は、ビデオカメラからの再生カウンタ情報を例えば１７０〜２００ｍｓ間隔で順次読み込んでおり、その読み込みタイミングにより、読み込まれる再生カウンタ情報がばらつくことになる。
【０００９】
その結果、モニタ画面に表示されたＤＶＤ装置側で処理される記録カウンタ情報と、ビデオカメラから読み込まれた再生カウンタ情報とがばらばらに動作することになる。つまり、カウントアップの処理がばらばらに行われることになる。このことは、モニタ画面を見ながら記録を行うユーザにとっては、非常に違和感のある表示となる。また、細かな編集を行うときの妨げにもなるといった問題があった。
【００１０】
本発明はかかる問題点を解決すべく創案されたもので、その目的は、モニタ画面に表示する記録カウンタ情報と再生カウンタ情報の同期をとることで、ユーザにとって違和感の無いカウンタ情報の表示形態を提供することのできる情報記録再生装置を提供することにある。
【００１１】
【課題を解決するための手段】
本発明の情報記録再生装置は、外部入力端子に接続された外部機器である例えばビデオカメラから送られてくる映像情報を装置本体側の記録制御手段で記録する際に、ビデオカメラから再生時間に関する再生カウンタ情報を取得し、この再生カウンタ情報を例えば外部接続されているテレビジョン受像機のモニタ画面に表示しながら記録を行う。このような情報記録再生装置としてＤＶＤ装置がある。そして、記録モード時、記録制御手段は、モニタ画面に装置本体側の記録時間に関する記録カウンタ情報とビデオカメラ側の再生カウンタ情報とを併せて表示する。
【００１２】
この際、記録制御手段は、モニタ画面に表示するビデオカメラ側の再生カウンタ情報を、実際に取得している再生カウンタ情報とは無関係に、装置本体側の記録カウンタ情報に同期させてカウントアップさせる。
【００１３】
すなわち、実際に取得している再生カウンタ情報は、読み込みタイミング等によりばらつきがあるので、モニタ画面に表示する際には、このようなばらつきのある再生カウンタ情報を無視し、記録開始時に最初に取得した再生カウンタ情報を元に、装置本体側の記録カウンタ情報のカウントアップに同期させて同じようにカウントアップさせていく。これにより、モニタ画面では、再生カウンタ情報と記録カウンタ情報とが同期してカウントアップされていくので、非常に見栄えがよく、ユーザにとっても違和感の無い表示とすることができる。
【００１４】
また、本発明の情報記録再生装置では、記録モード以外の例えばスチル再生やスロー再生等といった特殊再生時には、ビデオカメラ側の再生カウンタ情報にフレーム情報を含めて表示する。これにより、例えばコマ送りの再生画像を見ながら、フレーム情報を参照して細かな編集作業を行うことができる。
【００１５】
【発明の実施の形態】
以下、本発明の実施の形態について、図面を参照して説明する。
図１は、本発明の情報記録再生装置であるＤＶＤ装置のシステム構成を示している。
【００１６】
装填された光ディスク１にデータを書き込むとともに光ディスク１からデータを読み込む光ピックアップ３の出力は、ＲＦアンプ５を介してデジタル信号処理回路７に接続されており、デジタル信号処理回路７の出力は、光ピックアップ３によるデータの書き込み時や読み込み時のレーザ出力を制御するレーザドライバ８に接続されている。また、サーボ処理回路９の出力は、光ピックアップ３を光ディスク１の半径方向に移動させるためのフィードモータ４と光ディスク１を回転駆動するスピンドルモータ２とに接続されており、これらデジタル信号処理回路７及びサーボ処理回路９は、装置全体の動作制御を行うシステムコントローラ１０と双方向に接続されている。
【００１７】
デジタル信号処理回路７には、記録動作時や再生動作時にデータを一時的に蓄積するバッファとしてのＤＲＡＭ６が双方向に接続されているとともに、デジタルデータをアナログデータに変換してＣＲＴ等の表示装置２１に出力するＤ／Ａ変換回路１２が接続されている。また、デジタル信号処理回路７には、デジタルビデオカメラ３１等の外部機器を接続可能な外部入力端子１６が接続されている。
【００１８】
システムコントローラ１０には、光ディスク１のパラメータやレーザパワーのパラメータ等の固有情報を記憶しておくためのＥＥＰＲＯＭ１１が双方向に接続されるとともに、装置本体前面に設けられたＬＣＤ等からなる表示パネル１３が接続されている。また、システムコントローラ１０には、外部入力端子１６から入力される映像情報を光ディスク１に記録する際に記録時間をカウントするカウンタ１５が接続されている。さらに、システムコントローラ１０には、リモコン１８からの赤外線信号を受信する受信部１４が接続されている。
【００１９】
デジタル信号処理回路７は、ＥＦＭ復調や、ＡＣＩＲＣ（Ａｄｖａｎｃｅｄ  Ｃｒｏｓｓ  Ｉｎｔｅｒｌｅａｖｅｄ  Ｒｅｅｄ−Ｓｏｌｏｍｏｎ  Ｃｏｄｅ）による誤り訂正方式に従って、１６ビットの信号を８ビットづつに区切り、その８ビットを１４ビットに変換するといった処理等を行う。また、デジタル信号処理回路７は、外部入力端子１６から入力された映像情報等のデジタルデータを、光ディスク１（ただし、ハードディスク（ＨＤ）を内蔵している場合にはハードディスク等を含む）に書き込むためのデータ圧縮等の処理を行う。
【００２０】
システムコントローラ１０は、記録モード時、外部入力端子１６に接続されたデジタルビデオカメラ３１から送られてくる映像情報を光ディスク１等に記録する際に、デジタルビデオカメラ３１から再生カウンタ情報を取得し、この再生カウンタ情報を表示装置２１のモニタ画面に表示しながら記録を行うとともに、映像情報の記録時間をカウントしているカウンタ１５の記録カウンタ情報も併せて表示する。この際、システムコントローラ１０は、デジタルビデオカメラ１３の再生カウンタ情報を、外部入力端子１６から実際に取得している再生カウンタ情報とは無関係に、カウンタ１５の記録カウンタ情報に同期させてカウントアップさせて表示する。
【００２１】
ここで、ＤＶＤレコーダのビデオフォーマットについて簡単に説明しておく。
ＤＶＤレコーダは、ＤＶＤ−ＶＩＤＥＯ規格に従って記録を行う。ＤＶＤ−ＶＩＤＥＯ規格は周知の如く階層構造となっており、ＶＯＢ（Ｖｉｄｅｏ  Ｏｂｊｅｃｔ）は１または複数個のＣｅｌｌで構成され、Ｃｅｌｌも１または複数個のＶＯＢＵ（Ｖｉｄｅｏ  Ｏｂｊｅｃｔ  Ｕｎｉｔ）で構成される。そして、ＶＯＢＵには、その先頭にナビゲーションパック（ＮＶ−ＰＣＫ）が記録され、その後に続いて、オーディオパック（Ａ−ＰＣＫ）、ビデオパック（Ｖ−ＰＣＫ）、サブピクチャパック（ＳＰ−ＰＣＫ）が多重化されて時分割で記録される。ここで、１ＶＯＢＵの記録時間は０．５秒である。
【００２２】
次に、上記構成の情報記録再生装置におけるカウンタ表示処理について、図２に示すフローチャート、図３及び図４に示すモニタ画面の表示例を参照して説明する。
【００２３】
外部入力端子１６に外部機器であるデジタルビデオカメラ（以下、「ＤＶ側」という）３１を接続し、ＤＶ側３１を動作状態とすると、システムコントローラ１０は、ＤＶ側３１から映像情報とともに送られてくる再生カウンタ情報（再生時間のカウント値）を取得するとともに（ステップＳ１）、装置本体側であるＤＶＤ装置が例えばリモコン１８等の操作により記録モードに設定されているか否かを確認する（ステップＳ２）。
【００２４】
その結果、記録モードである場合（ステップＳ２でＹｅｓと判断された場合）には、カウンタ１５による記録時間のカウント処理を開始するとともに、ＤＶ側３１から取得した再生カウンタ情報と、カウンタ１５による記録カウンタ情報とを表示装置２１のモニタ画面に表示する（ステップＳ３）。
【００２５】
図３は、モニタ画面に記録カウンタ情報（本体側のカウンタ）２１１と、再生カウンタ情報（ＤＶ側のカウンタ）２１２とを表示した状態を示している。記録カウンタ情報２１１及び再生カウンタ情報２１２共に、「時：分：秒」の表示となっている。この例では、記録カウンタ情報が「００：１０：００」、再生カウンタ情報が「００：２０：００」となっている。
【００２６】
このとき、システムコントローラ１０では、記録のためにＤＶ側３１から２ＶＯＢＵのデータを取り込むたびに、カウンタ１５のカウント値を１増やす処理を実行する（ステップＳ４，ステップＳ５）。これにより、モニタ画面の記録カウンタ情報２１１の記録時間の表示が１秒増えることになる。例えば「００：１０：００」から「００：１０：０１」となる。
【００２７】
このとき、システムコントローラ１０は、モニタ画面に表示されている再生カウンタ情報２１２を、記録カウンタ情報２１１に同期させてカウントアップさせる（ステップＳ６）。すなわち、ＤＶ側３１の再生時間を表示する再生カウンタ情報２１１については、実際にＤＶ側３１から取得した再生カウンタ情報をそのまま表示するのではなく、記録開始時に最初に取得した再生カウンタ情報に基づいて、モニタ画面上で記録カウンタ情報２１１に同期させて単純にカウントアップさせている。これにより、ニモタ画面上では、２つのカウンタ情報２１１，２１２が同期してカウントアップされていくため、これを見ているユーザにとっては、違和感の無い、非常に見やすいカウンタ情報となる。
以上が、記録モード時のカウンタ情報の表示処理である。
【００２８】
一方、ステップＳ２での判断の結果、記録モードでない場合（ステップＳ２でＮｏと判断された場合）には、システムコントローラ１０は、装置本体側を停止状態とし、ＤＶ側３１から取得した再生カウンタ情報を、そのまま表示装置２１のモニタ画面に表示する（ステップＳ７）。
【００２９】
このとき、システムコントローラ１０では、ＤＶ側３１の通常の再生動作であるのか特殊再生動作であるのかを判断し（ステップＳ８）、通常再生動作である場合には、ＤＶ側３１から取得した再生カウンタ情報に基づいて、時、分、秒まで表示し、フレーム情報については表示しない（ステップＳ９）。
【００３０】
一方、スチル再生やスロー再生といった特殊再生動作である場合には、ＤＶ側３１から取得した再生カウンタ情報に基づいて、時、分、秒の他に、フレーム情報まで含めて表示する（ステップＳ１０）。図４は、このときのモニタ画面の表示例を示している。図中の再生カウンタ情報２１２において、右端の「ＸＸ」がフレーム数を表している。すなわち、フレーム数については、１秒が３０フレームであるので、フレーム表示「ＸＸ」が１から３０までカウントアップされると、その横の秒表示が１増加することになる。このように、特殊再生時にはフレーム情報まで表示することで、例えばコマ送りの再生画像を見ながら、フレーム情報を参照して細かな編集作業を行うことができる。
【００３１】
なお、上記実施形態では、ＤＶＤ装置の外部入力端子１６にデジタルビデオカメラ３１を接続するとともに、ＤＶＤ装置にＣＲＴ等の表示装置２１を外付けする形で接続し、記録及び再生カウンタ情報を外付けの表示装置２１に表示する構成として説明しているが、表示装置２１についてはこのような外付けの装置でなくてもよい。例えば、装置本体に設けられている表示パネル１３に記録及び再生カウンタ情報を同期させて表示するようにしてもよい。
【００３２】
【発明の効果】
本発明によれば、モニタ画面に表示するビデオカメラ側の再生カウンタ情報を、実際に取得している再生カウンタ情報とは無関係に、装置本体側の記録カウンタ情報に同期させてカウントアップさせる構成としたので、モニタ画面には、再生カウンタ情報と記録カウンタ情報とが同期してカウントアップされていくので、非常に見栄えがよく、ユーザにとっても違和感の無い表示とすることができる。
また、本発明によれば、記録モード以外の例えばスチル再生やスロー再生等といった特殊再生時には、ビデオカメラ側の再生カウンタ情報にフレーム情報を含めて表示することにより、例えばコマ送りの再生画像を見ながら、フレーム情報を参照して細かな編集作業を行うことができる。
【図面の簡単な説明】
【図１】本発明に係わるＤＶＤ装置のシステム構成図である。
【図２】本発明に係わるＤＶＤ装置におけるカウンタ表示処理を示すフローチャートである。
【図３】表示装置のモニタ画面のカウンタ表示例を示す説明図である。
【図４】表示装置のモニタ画面のカウンタ表示例を示す説明図である。
【符号の説明】
１  光ディスク
２  スピンドルモータ
３  光ピックアップ
４  フィードモータ
５  ＲＦアンプ
６  ＤＲＡＭ
７  デジタル信号処理回路
８  レーザドライバ
９  サーボ処理回路
１０  システムコントローラ
１１  ＥＥＰＲＯＭ
１２  Ｄ／Ａ変換回路
１３  表示パネル
１４  受信部
１５  カウンタ
１６  外部入力端子
１８  リモコン
３１  デジタルビデオカメラ（外部機器）
【図１】
2004310848.tif 000003
【図２】
2004310848.tif 000004
【図３】
2004310848.tif 000005
【図４】
2004310848.tif 000006